【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  着脱可能な電源によって動作する電気機器であって、電気機器本体の動作を制御する動作制御手段と、前記電気機器本体に装着された電源を前記電気機器本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器。
【請求項２】  着脱可能な電源によって動作する電気機器であって、電気機器本体の動作を制御する動作制御手段と、前記電源を収納する電源室と、該電源室の電源挿入口を開閉する蓋と、該蓋を開閉不可能な状態にロックするロック手段と、前記ロックされた状態を解除するロック解除手段と、前記蓋を開く際に操作入力するための開蓋指示部材と、該開蓋指示部材による操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器。
【請求項３】  動作制御手段及びロック解除制御手段は装着された電源の電力により動作することを特徴とする請求項１または２記載の電気機器。
【請求項４】  ロック解除手段及びロック解除制御手段は装着された電源とは異なる電源の電力により動作することを特徴とする請求項１または２記載の電気機器。
【請求項５】  着脱可能な電源によって動作する電気機器の制御方法であって、動作制御手段により電気機器本体の動作を制御し、前記電気機器本体に装着された電源をロック手段により前記電気機器本体から離脱不可能な状態にロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器の制御方法。
【請求項６】  着脱可能な電源によって動作する電気機器の制御方法であって、電気機器本体の動作を動作制御手段により制御し、前記電源を収納した電源室の電源挿入口を開閉する蓋をロック手段により開閉不可能な状態にロックし、前記ロックされた状態をロック解除手段により解除し、前記蓋を開く際に操作入力するための開蓋指示部材による操作入力に応じて前記ロック解除手段をロック解除制御手段により制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器の制御方法。
【請求項７】  着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とするビデオカメラ。
【請求項８】  動作制御手段及びロック解除制御手段は装着された電源の電力により動作することを特徴とする請求項７記載のビデオカメラ。
【請求項９】  ロック解除手段及びロック解除制御手段は装着された電源とは異なる電源の電力により動作することを特徴とする請求項７記載のビデオカメラ。
【請求項１０】 着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させることを特徴とするビデオカメラ。
【請求項１１】  着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープの給送を停止状態にする動作を行い、該停止動作完了後に前記ロック解除制御手段は前記ロック解除手段によりロックされた状態を解除させることを特徴とするビデオカメラ。
【請求項１２】  着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とするビデオカメラの制御方法。
【請求項１３】  着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させることを特徴とするビデオカメラの制御方法。
【請求項１４】  着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はテープの給送を停止状態にする動作を行い、該停止動作完了後に前記ロック解除制御手段は前記ロック解除手段によりロックされた状態を解除させることを特徴とするビデオカメラの制御方法。
【手続補正２】
【補正対象書類名】明細書
【補正対象項目名】００２２
【補正方法】変更
【補正の内容】
【００２２】
【課題を解決するための手段】
上記目的を達成するため、本発明では、電気機器及びその制御方法、ビデオカメラ及びその制御方法を次のとおりに構成する。
（１）着脱可能な電源によって動作する電気機器であって、電気機器本体の動作を制御する動作制御手段と、前記電気機器本体に装着された電源を前記電気機器本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器。
（２）着脱可能な電源によって動作する電気機器であって、電気機器本体の動作を制御する動作制御手段と、前記電源を収納する電源室と、該電源室の電源挿入口を開閉する蓋と、該蓋を開閉不可能な状態にロックするロック手段と、前記ロックされた状態を解除するロック解除手段と、前記蓋を開く際に操作入力するための開蓋指示部材と、該開蓋指示部材による操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器。
（３）動作制御手段及びロック解除制御手段は装着された電源の電力により動作する前記（１）または（２）記載の電気機器。
（４）ロック解除手段及びロック解除制御手段は装着された電源とは異なる電源の電力により動作する前記（１）または（２）記載の電気機器。
（５）着脱可能な電源によって動作する電気機器の制御方法であって、動作制御手段により電気機器本体の動作を制御し、前記電気機器本体に装着された電源をロック手段により前記電気機器本体から離脱不可能な状態にロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器の制御方法。
（６）着脱可能な電源によって動作する電気機器の制御方法であって、電気機器本体の動作を動作制御手段により制御し、前記電源を収納した電源室の電源挿入口を開閉する蓋をロック手段により開閉不可能な状態にロックし、前記ロックされた状態をロック解除手段により解除し、前記蓋を開く際に操作入力するための開蓋指示部材による操作入力に応じて前記ロック解除手段をロック解除制御手段により制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器の制御方法。
（７）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させるビデオカメラ。
（８）動作制御手段及びロック解除制御手段は装着された電源の電力により動作する前記（７）記載のビデオカメラ。
（９）ロック解除手段及びロック解除制御手段は装着された電源とは異なる電源の電力により動作する前記（７）記載のビデオカメラ。
（１０）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させるビデオカメラ。
（１１）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープの給送を停止状態にする動作を行い、該停止動作完了後に前記ロック解除制御手段は前記ロック解除手段によりロックされた状態を解除させるビデオカメラ。
（１２）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させるビデオカメラの制御方法。
（１３）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させるビデオカメラの制御方法。
（１４）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はテープの給送を停止状態にする動作を行い、該停止動作完了後に前記ロック解除制御手段は前記ロック解除手段によりロックされた状態を解除させるビデオカメラの制御方法。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】